(57)【特許請求の範囲】
【請求項１】
繰出凹部を外周に形成した繰出ロールを回転させることにより、上方のホッパーから前記繰出凹部に落入し貯留される粒状物の一定量を繰出すロール式繰出装置において、
該繰出ロールを、前記繰出凹部を設けた摺動ロールと、該繰出凹部に側方から嵌入する嵌入突起を構成した固定ロールとにより構成し、
該摺動ロールを固定ロールに対して摺動させることにより、前記嵌入突起が繰出凹部に嵌入する位置により、前記粒状物の量を調節すべく構成し、
該摺動ロールを駆動する繰出駆動軸を設け、該繰出駆動軸を左右へ摺動可能とし、該繰出駆動軸の左右への摺動により、該摺動ロールが固定ロールに対して相対位置を変更して、ロール式繰出装置の繰出量を調整可能とし、
前記繰出駆動軸の端部に、前記ロール式繰出装置の繰出量を調節する繰出量調節機構を設け、
前記繰出量調節機構は、前記繰出量調節機構の支持フレームを、ユニット取付杆に固定するとともに、前記繰出駆動軸の延長上に構成した調量操作ハンドルを回動操作することにより、前記固定ロールに対して、前記繰出駆動軸と前記摺動ロールの位置を摺動調整して繰出量を調整し、
前記調量操作ハンドルを前記繰出駆動軸の軸方向に付勢する付勢バネを、前記調量操作ハンドルと前記支持フレームとの間に介装した
ことを特徴とするロール式繰出装置の調量機構。
【請求項２】
請求項１記載のロール式繰出装置の調量機構において、前記繰出駆動軸に対して摺動ロールを、係合固定状態と摺動可能状態とに切換可能に構成し、該摺動ロールを繰出駆動軸に対して、摺動させることにより、ロール式繰出装置ユニットを、該繰出駆動軸に対して移動可能とし、圃場に対する施肥播種位置を変更可能としたことを特徴とするロール式繰出装置の調量機構。
【請求項３】
請求項２記載のロール式繰出装置の調量機構において、前記繰出駆動軸に対する摺動ロールの固定を、該摺動ロールの一端に構成した締付雄ネジと締付雌ナットにより構成したことを特徴とするロール式繰出装置の調量機構。
【請求項４】
請求項２記載のロール式繰出装置の調量機構において、前記ロール式繰出装置ユニットの複数を、ユニット取付杆に一定間隔を開けて取付け、圃場に対して複数条の施肥播種を行う多条式のロール式繰出装置を構成するとともに、該複数のロール式繰出装置ユニットの、各繰出駆動軸を、一体化した１本の軸として構成し、該１本の繰出駆動軸の端部に前記繰出量調節機構を設け、前記繰出量調節機構により、複数のロール式繰出装置ユニットの繰出量を同時に調節可能としたことを特徴とするロール式繰出装置の調量機構。
【請求項５】
請求項４記載のロール式繰出装置の調量機構において、前記繰出駆動軸と、繰出量調節機構の調整軸との間は、連結金具により連結して、該連結金具の部分により、繰出駆動軸と繰出量調節機構とを脱着可能としたことを特徴とするロール式繰出装置の調量機構。
【発明の詳細な説明】
【技術分野】
【０００１】
本発明は、播種機や施肥機等において、種子や肥料などの粒状物を繰出す為に使用するロール式繰出装置の、調量機構に関するものである。
【背景技術】
【０００２】
従来から、播種機や施肥機の繰出部を、ロール式繰出装置により構成し、該ロール式繰出装置の調量機構の繰出量を、繰出ロールの摺動ロールを摺動することにより調整する技術は公知とされているのである。
しかし、従来のロール式繰出装置の調量機構においては、繰出ロールをユニットごとに調節して開度調整する必要があった。
下記の特許文献において記載されているロール式繰出装置においては、それぞれに繰出ロールの部分において調量装置の技術が開示されている。
【０００３】
しかし、従来の技術においては、播種と施肥を同時に行う施肥播種機において、複数のロール式繰出装置ユニットＵを同時に調量する構成とする為には、播種側と施肥側の繰出量調節の為の計２本の軸を、播種・施肥の繰出駆動軸とは別に配置した構成としなければ、両方の繰出量の調整が出来ないという不具合があったのである。
また、従来は播種と施肥の繰出ロールを、それぞれ播種の繰出駆動軸と、施肥の繰出駆動軸に固定できる構造にしなければならず、ユニット取付杆に対してロール式繰出装置ユニットを左右に調節することが出来ないという不具合もあったのである。
【先行技術文献】
【特許文献】
【０００４】
【特許文献１】特開平０７−２０３７３４号公報
【特許文献２】特開２００４−２９８０３０号公報
【特許文献３】特開２００７−０３７４９５号公報
【発明の概要】
【発明が解決しようとする課題】
【０００５】
従来から大面積で農作業をする場合に、トラクタ用多条ロール式施肥播種機が使用されていることが多い。このように、多条式のロール式繰出装置においては、ロール式繰出装置ユニットの各々に、繰出量の調量装置がそれぞれ構成されていた為に、６条とか８条などの多条の複数の各ユニットのロール開度調節を、作業者が一条毎にしなければならないという不具合があったのである。
【０００６】
また、ユニット毎に、繰出量を調節する場合においては、全部の繰出量を一度の作業で調節することが出来ないので、調量設定後の繰出量を一定にする為には、作業者の注意力が必要だったのである。全条を一つの操作で調整できるロール式繰出装置の調量機構を提供するものである。
【０００７】
本発明は、施肥量・播種量の各一回の調整で、複数のロール開度設定ができて、調整に要する作業時間も短縮できるように構成したものである。また、全条が一括調整なので、各条ごとの開度のバラツキも無く繰出量が安定するロール式繰出装置の調量機構を提供するものである。
【０００８】
また、従来のロール式繰出装置においては、ユニット取付杆に複数のロール式繰出装置ユニットが間隔を開けて固定されているのであるが、ロール式繰出装置の調量機構を取りつけると、ロール式繰出装置ユニットを左右に移動させる各条の条間調整が困難となるという不具合があったのである。
本発明においては、全条の繰出量の調整が一度に出来るとともに、繰出駆動軸に対してロール式繰出装置ユニットを移動することで、条間の移動設定も可能としたものである。
【課題を解決するための手段】
【０００９】
以下では、上記課題を解決するための手段を説明する。
【００１０】
請求項１においては、繰出凹部ａを外周に形成した繰出ロールＡを回転させることにより、上方のホッパー１３・１４から前記繰出凹部ａに落入し貯留される粒状物ｍの一定量を繰出すロール式繰出装置において、該繰出ロールＡを、前記繰出凹部ａを設けた摺動ロール１と、該繰出凹部ａに側方から嵌入する嵌入突起ｂを構成した固定ロール２とにより構成し、該摺動ロール１を固定ロール２に対して摺動させることにより、前記嵌入突起ｂが繰出凹部ａに嵌入する位置により、前記粒状物ｍの量を調節すべく構成し、該摺動ロール１を駆動する繰出駆動軸３を設け、該繰出駆動軸３を左右へ摺動可能とし、該繰出駆動軸３の左右への摺動により、該摺動ロール１が固定ロール２に対して相対位置を変更して、ロール式繰出装置の繰出量を調整可能とし、前記繰出駆動軸３の端部に、前記ロール式繰出装置の繰出量を調節する繰出量調節機構Ｂを設け、前記繰出量調節機構Ｂは、前記繰出量調節機構Ｂの支持フレーム２２を、ユニット取付杆１２に固定するとともに、前記繰出駆動軸３の延長上に構成した調量操作ハンドル１１を回動操作することにより、前記固定ロール２に対して、前記繰出駆動軸３と前記摺動ロール１の位置を摺動調整して繰出量を調整し、前記調量操作ハンドル１１を前記繰出駆動軸３の軸方向に付勢する付勢バネ２８を、前記調量操作ハンドル１１と前記支持フレーム２２との間に介装した。
【００１１】
請求項２においては、請求項１記載のロール式繰出装置の調量機構において、前記繰出駆動軸３に対して摺動ロール１を、係合固定状態と摺動可能状態とに切換可能に構成し、該摺動ロール１を繰出駆動軸３に対して、摺動させることにより、ロール式繰出装置ユニットＵを、該繰出駆動軸３に対して移動可能とし、圃場に対する施肥播種位置を変更可能としたものである。
【００１２】
請求項３においては、請求項２記載のロール式繰出装置の調量機構において、前記繰出駆動軸３に対する摺動ロール１の固定を、該摺動ロール１の一端に構成した締付雄ネジ８と締付雌ナット９により構成したものである。
【００１３】
請求項４においては、請求項２記載のロール式繰出装置の調量機構において、前記ロール式繰出装置ユニットＵの複数を、ユニット取付杆１２に一定間隔を開けて取付け、圃場に対して複数条の施肥播種を行う多条式のロール式繰出装置を構成するとともに、該複数のロール式繰出装置ユニットＵの、各繰出駆動軸３を、一体化した１本の軸として構成し、該１本の繰出駆動軸３の端部に前記繰出量調節機構Ｂを設け、前記繰出量調節機構Ｂにより、複数のロール式繰出装置ユニットＵの繰出量を同時に調節可能としたものである。
【００１４】
請求項５においては、請求項４記載のロール式繰出装置の調量機構において、前記繰出駆動軸３と、繰出量調節機構Ｂの調整軸１５との間は、連結金具３０により連結して、該連結金具３０の部分により、繰出駆動軸３と繰出量調節機構Ｂとを脱着可能としたものである。
【発明の効果】
【００１５】
請求項１の如く構成したので、繰出ロールＡの繰出駆動軸３を左右に摺動することにより、摺動ロール１を同時に摺動して、ロール式繰出装置の調量機構を構成し、別に調量機構の為の軸を配置する必要がなくなり、該繰出駆動軸３を兼用して簡潔な調量機構を構成することが出来たものである。
また、多条式のロール式繰出装置において、全てのユニットを貫通した１本の繰出駆動軸３の端部に繰出量調節機構Ｂを設け、該繰出量調節機構Ｂを構成する調量操作ハンドル１１を回動操作するだけで、全てのユニットの摺動ロール１を、正確に同じ調整量で移動させることが可能となったのである。
【００１６】
請求項２の如く構成したので、該繰出駆動軸３を摺動させることで、該繰出ロールＡの摺動ロール１を摺動して、ロール式繰出装置の調量機構を構成することが出来るとともに、該繰出駆動軸３に対して、摺動ロール１の位置を移動固定可能とする機構を設けたので、隣接するロール式繰出装置ユニットＵの間の条間を調節する為に、ユニットの左右移動も可能となったのである。
【００１７】
請求項３の如く構成したので、該繰出駆動軸３とロール式繰出装置ユニットＵの固定と移動可能とを切換える構成を、締付雄ネジ８と締付雌ナット９により、該繰出駆動軸３の上に構成したので、簡潔な構成で、該ロール式繰出装置ユニットＵの移動可能構成とすることが出来たのである。
【００１８】
請求項４の如く構成したので、多条式のロール式繰出装置とした場合において、各条ごとのユニットの繰出駆動軸３を連結した１本の軸として、該１本の軸を左右に摺動可能な構成とすることにより、多条式のユニットに全ての繰出量の調整を可能とすることが出来るので、各条ごとの調量機構を構成して、調量の為の軸を連結する必要がなくなったのである。
【００１９】
請求項５の如く構成したので、多条式のロール式繰出装置において、１本の長い軸に構成した繰出駆動軸３と、該繰出量調節機構Ｂの調整軸１５は、脱着が可能であるので、トラクタ等の側に設けたユニット取付杆１２に取付ける場合に、簡単に脱着することが可能となったのである。また、繰出駆動軸３と調整軸１５の間の軸心が完全に一致しない場合でも、そのズレを吸収することが可能となったのである。
【図面の簡単な説明】
【００２０】
【図１】本発明のロール式繰出装置を具備した施肥播種機の側面図。
【図２】図１の施肥播種機の後面図。
【図３】ロール式繰出装置を具備した施肥播種機のユニットを１４条分連接した多条式施肥播種機の後面図。
【図４】本発明のロール式繰出装置の調量機構を多条式施肥播種機に付設した状態の繰出部の平面図。
【図５】図４のロール式繰出装置の調量機構において、繰出量を多い方へ調整した状態の平面図。
【図６】本発明の摺動ロール１と繰出駆動軸３と繰出量調節機構Ｂの連結状態を示し、繰出量が少量側（ａ）と多量側（ｂ）における調整後の平面図。
【図７】本発明のロール式繰出装置の調量機構を具備した施肥播種機の繰出部の拡大側面図。
【図８】図７の拡大側面図において、該摺動ロール１を抜いた状態の拡大側面図。
【図９】図８の状態の繰出部の平面図。
【図１０】施肥播種機の繰出部に摺動ロール１を挿入する状態の平面図。
【図１１】摺動ロール１の繰出凹部ａに、固定ロール２の嵌入突起ｂを嵌入して、粒状物ｍの調量部を変更する構成を示す状態の断面図。
【図１２】（ａ）は摺動ロール１の内部に摺動筒軸４を挿入した平面断面図。（ｂ）は同じく（ａ）の状態の側面図。
【図１３】（ａ）は摺動ロール１の側面図。（ｂ）は同じく平面断面図。
【図１４】（ａ）は摺動筒軸４の平面断面図。（ｂ）は摺動筒軸４の平面図。（ｃ）は摺動筒軸４の側面断面図。
【図１５】（ａ）は締付雌ナット９の側面断面図。（ｂ）は締付雌ナット９の側面図。
【図１６】（ａ）は固定ロール２の軸受け体６の側面図。（ｂ）は固定ロール２の軸受け体６の前面図。
【図１７】（ａ）は固定ロール２の側面図。（ｂ）は固定ロール２の前面断面図。
【図１８】繰出量調節機構Ｂの平面図。
【図１９】繰出量調節機構Ｂの側面図。
【図２０】繰出量調節機構Ｂを構成する調整軸１５と、繰出駆動軸３との間の連結金具３０の図面。
【発明を実施するための形態】
【００２１】
図１と図２において、本発明のロール式繰出装置の１ユニットの構成について説明する。
該ロール式繰出装置ユニットＵは、播種ユニットと施肥ユニットが、前後に一体化された構成とされており、施肥作業と同時に播種作業を行うことが出来る。
上部の前部に肥料ホッパー１４を配置し、後部に種子ホッパー１３を配置し、両者は一体的に、または分割状態にすることが出来るように、側面にワンタッチ係止具２１により構成した係止金具が設けられている。一般的に播種する種子よりも、その側方に撒布する肥料の方の量が多いので、該肥料ホッパー１４の方が種子ホッパー１３よりも大容量に構成されている。
【００２２】
該肥料ホッパー１４の下に、施肥繰出装置７が配置され、該種子ホッパー１３の下方には、種子繰出装置５が連設されている。該施肥繰出装置７と種子繰出装置５の下部には、それぞれに防水カバー３４が連設されて、該施肥繰出装置７と種子繰出装置５から繰り出されて落下してくる肥料と種子が、雨水などに触れないようにしている。また、該防水カバー３４は、該施肥繰出装置７と種子繰出装置５に対して、上下に回動するメインフレーム１０との間の間隙から、肥料や種子が飛び出すことの無いようする役目も具備している。
【００２３】
施肥播種装置は係止部材３６に、施肥繰出装置７と種子繰出装置５を固定し、該施肥繰出装置７と種子繰出装置５に、ワンタッチ係止具２１にて、前記肥料ホッパー１４と種子ホッパー１３を固定した構成としている。
該係止部材３６の下部に平行リンク３５を設け、該平行リンク３５によりメインフレーム１０を上下回動可能に支持している。
該係止部材３６を、トラクタ等のユニット取付杆１２に装着すべく構成している。
【００２４】
前記メインフレーム１０の下方には、最前部には作溝ディスク３３を配置し、播種と施肥の為の溝を作成し、該作溝ディスク３３の後部に、覆土ディスク３２を配置し、該作溝ディスク３３が構成した溝内に投入された肥料と種子の粒状物ｍに対して、覆土ディスク３２により覆土すべく構成している。
更に、該覆土ディスク３２の後部には、覆土した後の圃場土を鎮圧する鎮圧ローラ３１が配置されている。該鎮圧ローラ３１の外周には、スクレーパ３７が付設されている。
【００２５】
次に図３と図４と図５と図６において、ロール式繰出装置ユニットＵを複数条だけ併設した多条式の施肥播種機の構成について説明する。
図３においては、該ロール式繰出装置ユニットＵを１４組、並列した多条式の施肥播種機が開示されている。
このように、１４条と多条に配置されている場合には、左の７条と、右の７条の２本に分けて、２本の繰出駆動軸３を配置し、前記繰出量調節機構Ｂも左右に２組を配置した構成としているのである。しかし、１本の繰出駆動軸３により構成しても良いのである。
【００２６】
図４と図５において図示されている如く、トラクタ等の牽引駆動走行装置の作業機装着装置に、作業機取付ヒッチ１７の部分を介して装着されている。該作業機取付ヒッチ１７の部分に構成した作業機上下調整ハンドル１８を回動することにより、作業機取付ヒッチ１７とユニット取付杆１２の部分が上下に回動して、多条式施肥播種機を作業状態と走行移動状態とすることを可能としている。
本発明の多条式施肥播種機は、トラクタの作業機取付ヒッチ１７に取付られたユニット取付杆１２と、該ユニット取付杆１２に装着されたロール式繰出装置ユニットＵと繰出量調節機構Ｂにより構成されているのである。
【００２７】
図４と図５において図示した如く、該ユニット取付杆１２には、繰出駆動モータ１６が固定されており、該繰出駆動モータ１６からチェーンとスプロケットにより、施肥繰出装置７の肥料側繰出駆動軸３Ａが駆動可能に構成されている。
本実施例においては、繰出駆動モータ１６により繰出駆動軸３Ａ・３Ｂを駆動しているが、従来の技術のように、接地駆動輪を後部に配置して、該接地駆動輪の回転による動力で繰出駆動軸３Ａ・３Ｂを駆動する構成としても良いものである。
該種子繰出装置５の側の播種繰出駆動軸３Ｂは、前記肥料側繰出駆動軸３Ａとの間に介装された前記固定ロール２の外周の歯車２ｂと歯車２ｂの噛合により駆動されるべく構成している。
該固定ロール２の歯車２ｂは、後述する図１７の（ｂ）に図示された、固定ロール２の外周に構成されており、前記施肥繰出装置７の側の施肥固定ロール２Ａに設けられた歯車２ｂと、種子繰出装置５の側の播種固定ロール２Ｂの外周に構成された歯車２ｂとの両方が噛み合って肥料側繰出駆動軸３Ａから播種繰出駆動軸３Ｂへの動力伝達をすべく構成している。
【００２８】
本発明においては、前記トラクタ側の作業機取付ヒッチ１７に装着されたユニット取付杆１２に対して、本発明のロール式繰出装置に設けられた係止部材３６の部分が装着されるのである。
該ユニット取付杆１２に対しては、該係止部材３６の部分でロール式繰出装置ユニットＵが装着されるのであるが、該ロール式繰出装置ユニットＵは多条式の条の間の間隔を調整する為に、該係止部材３６の固定状態を緩めてから、該ユニット取付杆１２の上を摺動させて、該ロール式繰出装置ユニットＵの全体を、条間調節の為に移動可能とする必要があるのである。
【００２９】
しかし、多条式ロール式繰出装置として、複数組のロール式繰出装置ユニットＵがユニット取付杆１２の上に連設して配置される場合には、肥料側繰出駆動軸（３Ａ）と播種繰出駆動軸３Ｂが、施肥繰出装置７と種子繰出装置５の摺動ロール１に固定された状態では、該ロール式繰出装置ユニットＵがユニット取付杆１２の上を摺動するということが不可能なのである。
本発明は、この隣接したロール式繰出装置ユニットＵの間を、長い１本の繰出駆動軸３により連結した場合でも、ロール式繰出装置ユニットＵがユニット取付杆１２の上で摺動し、条間を調節可能とするように構成されている。即ち、繰出駆動軸３と、摺動ロール１とを固定または自由とする為の、締付雄ネジ８と締付雌ナット９を具備しているのである。
【００３０】
次に図６から図１４において、該摺動ロール１と固定ロール２と締付雄ネジ８と締付雌ナット９について説明する。
前記摺動ロール１は、外周部分である摺動ロール１と、内筒を構成する摺動筒軸４を接着剤などで一体化して構成している。即ち、該摺動ロール１には外周に、固定ロール２の嵌入突起ｂの部分が嵌入して、繰出量を調整する為に繰出凹部ａを成形する必要があり、また摺動筒軸４には、該繰出駆動軸３の外周において、ロール式繰出装置ユニットＵを固定または摺動自由とする為の、締付雄ネジ８を成形する必要があるので、樹脂材料を別にして、別の樹脂成形体で構成しているのである。
別の樹脂成形により、該摺動ロール１と摺動筒軸４を構成した上で、両者が回転しないように、係合状態で嵌入した上で、接着剤で抜け出し不能に一体化している。
しかし、摺動筒軸４と摺動ロール１を別体とせずに、樹脂の一体成形としても良いものである。
【００３１】
図１２に図示する如く、該摺動筒軸４の内径は、該繰出駆動軸３が挿入されて、両者が回転不能となるように６角形状に構成されている。また、該摺動筒軸４の外周は、該摺動ロール１の内周と一体回転するように変形６角形に構成されている。
該摺動筒軸４が、該摺動ロール１から突出した部分に、図１４に構成したように、先端に外側開口が可能な切り込み又は割込みを構成して、その状態で外周に雄ネジが刻設されている。そして、該締付雄ネジ８に締付雌ナット９を螺装することにより、該締付雄ネジ８は繰出駆動軸３の外周に締めつけ固定されるのある。
逆に言えば、該締付雌ナット９を緩めにことにより、該締付雄ネジ８と繰出駆動軸３との固定状態が開放されるので、該繰出駆動軸３の外周において、該摺動筒軸４と摺動ロール１が一体的に摺動可能となるのである。
【００３２】
該摺動筒軸４と摺動ロール１が摺動するということは、該繰出装置７・５と種子ホッパー１３と肥料ホッパー１４やメインフレーム１０や作溝ディスク３３や防水カバー３４や覆土ディスク３２や鎮圧ローラ３１もも一体化した状態で、ロール式繰出装置ユニットＵとして繰出駆動軸３の外周を摺動可能となるのである。
なお、該締付雌ナット９を緩めて、該繰出駆動軸３に対して、ロール式繰出装置ユニットＵを移動する場合には、前記ユニット取付杆１２に対する係止部材３６の部分の緩めておく必要があることは当然である。
【００３３】
図８と図９と図１０と図１６に図示する如く、該施肥繰出装置７と種子繰出装置５の部分においては、該肥料ホッパー１４の下に施肥ロールケース１９が、ワンタッチ係止具２１により固定されており、また前記種子ホッパー１３のの下方に、播種ロールケース２０がワンタッチ係止具２１により係止固定されている。
また、該施肥ロールケース１９と播種ロールケース２０は、前後のワンタッチ係止具２１により、係止固定されて一体化されている。
また、前側の施肥ロールケース１９の前部に係止部材３６がボルトにより固定されており、該係止部材３６はボルトにより緩めたり、締めたりすることを可能としており、ユニット取付杆１２に対して、該係止部材３６を緩めた状態で左右に移動して、条間の調節を可能としている。
該係止部材３６をユニット取付杆１２に対して摺動して条間を調節する場合には、該繰出駆動軸３に対して締付雌ナット９を緩めて、締付雄ネジ８の部分か自由に摺動可能となるようにしておくことが必要である。
【００３４】
そして、該施肥ロールケース１９の内部に、図１０に図示する如く、該摺動ロール１と摺動筒軸４と締付雄ネジ８と締付雌ナット９の一体化されたロール部分が嵌装され、該摺動ロール１の外周の繰出凹部ａの部分に、図１１と図１７において図示されている固定ロール２の内周側に突出された嵌入突起ｂが嵌入しているのである。
この状態で、繰出駆動軸３を左右に摺動させると、該摺動筒軸４と共に摺動ロール１が左右に摺動され、該固定ロール２は、該施肥ロールケース１９または播種ロールケース２０に対して移動が不可能な状態に、軸受け体６により係止されているので、該摺動ロール１の繰出凹部ａの容量が、該固定ロール２の嵌入突起ｂにより制限を受けて、容量が変化して繰出量が調整されるのである。
該軸受け体６は、施肥ロールケース１９と播種ロールケース２０の左右の外側面にボルトにより固定されており、該軸受け体６の外側面に、前記ワンタッチ係止具２１が設けられて、上側の種子ホッパー１３と種子繰出装置５を、肥料ホッパー１４と施肥繰出装置７とを係止固定している。
また、前後の施肥ロールケース１９と播種ロールケース２０との間の係止固定は、該軸受け体６の横側面に設けられたワンタッチ係止具２１同士を係止することにより行っている。
【００３５】
該固定ロール２は、図１１と図１７において図示されたように構成されており、該施肥ロールケース１９と播種ロールケース２０の外側に付設する軸受け体６の内周軸受面６ａにより、内部において回転可能に支持されているのである。
該軸受け体６は、該固定ロール２の軸受筒部２ｄの外周を軸受支持しており、該固定ロール２の内周部には、前記嵌入突起ｂが突出されている。該軸受筒部２ｄ以外の固定ロール２の外周部分に、該施肥繰出装置７の固定ロール２の側から、種子繰出装置５の側の固定ロール２に回転動力を伝達する為の、外周の歯車２ｂが突設されているのである。
該歯車２ｂは、施肥繰出装置７の施肥ロールケース１９の側に付設した軸受け体６から、種子繰出装置５の側へ突出し、また種子繰出装置５の側の播種ロールケース２０の側面に付設した軸受け体６から、施肥繰出装置７の側に突出して、両者が噛合した状態で、該施肥繰出装置７から種子繰出装置５のそれぞれの繰出駆動軸３を駆動すべく構成されている。
該施肥繰出装置７と種子繰出装置５の側からの２枚の歯車２ｂの噛合部分は、両側の軸受け体６・６の接当部が被覆すべく構成している。
また、該摺動ロール１の繰出凹部ａと、該固定ロール２の嵌入突起ｂにより構成する粒状物の貯留部には、前後の方向から目皿接当ブラシ２６が外周面に当接すべく突設されており、該繰出凹部ａから溢れようとする粒状物ｍを、掻きとるように構成している。
【００３６】
該固定ロール２の外周の軸受筒部２ｄの部分に、該軸受け体６が外周を軸受すべく嵌装されていることは、先に説明したが、前記摺動ロール１の外周が摺動する側の、施肥ロールケース１９と播種ロールケース２０の右側面にも、同じ軸受け体６・６が固設され、該摺動ロール（１）の外周面１ｄが、軸受支持されている。
該摺動ロール１は摺動するので、軸受け体６の内側の内周軸受面６ａで回転を受けると共に、摺動の軸受も兼ねているのである。
該摺動ロール１の外周面１ｄと、固定ロール２の軸受筒部２ｄの部分の外径を同一径として、該固定ロール２を受ける軸受け体６と、該繰出駆動軸３を受ける軸受け体６とは同一部品に構成している。
【００３７】
図４と図５は、繰出駆動軸３を摺動させて、該摺動ロール１に対する固定ロール２の位置を調整し、繰出量を多寡に調整した状態を図示している。図４の場合は、該摺動ロール１が固定ロール２に対して、大きく接近しており、固定ロール２の嵌入突起ｂは、摺動ロール１の繰出凹部ａの容量を少なくする位置となっている。
図５においては、該固定ロール２に対して摺動ロール１が離れた状態に繰出駆動軸３が摺動しており、該繰出凹部ａ内の嵌入突起ｂの位置は、種子ホッパー１３と肥料ホッパー１４の下の繰出凹部ａの容量が大きくなって、繰出量を多くした状態を図示している。
【００３８】
また、図４と図５においては、右側の４条のロール式繰出装置ユニットＵを１本の繰出駆動軸３が貫通した構成となっている。そして、該１本の繰出駆動軸３の左端部には、図２０において図示する如く、連結金具３０が介装されて、該連結金具３０の他端に、前記繰出量調節機構Ｂの調整軸１５が連結可能としている。
該連結金具３０を調整軸１５と繰出駆動軸３の間に介装することにより、該繰出量調節機構Ｂはロール式繰出装置ユニットＵとは別に分解して、後から別にユニット取付杆１２装着することを可能としている。
【００３９】
該ユニット取付杆１２に支持フレーム２２により固定する構成とした繰出量調節機構Ｂについて説明する。
図１８と図１９と図２０において繰出量調節機構Ｂの構成を説明する。ユニット取付杆１２に対して、ロール式繰出装置ユニットＵを取り付けた状態の最も外側の位置に、繰出量調節機構Ｂを支持フレーム２２と固定部２３を介して取付けている。
該支持フレーム２２の先端に、肥料側繰出駆動軸３Ａと播種繰出駆動軸３Ｂの両方を別々に調整可能とする調量操作ハンドル１１・１１が設けられている。該調量操作ハンドル１１には、調節雄螺子１１ａが刻設されており、該調節雄螺子１１ａが、支持フレーム２２の先端に固設された調節雌螺子２４に螺装されている。
【００４０】
故に、調量操作ハンドル１１を回動させることにより、調節雄螺子１１ａが回動し、調節雌螺子２４の内部で、調節雄螺子１１ａの部分か左右に螺子山の分だけ移動する。
該調節雄螺子１１ａの螺子山の分だけの移動が、調節雄螺子１１ａの内側に嵌装された遊嵌部材２７の移動となり、該遊嵌部材２７は、該調整軸１５を回転可能に遊嵌しているので、該調整軸１５を押すが、該調整軸１５の回転力は、調節雄螺子１１ａには伝動されないように回転を遮断しているのである。
【００４１】
逆に言えば、調量操作ハンドル１１による調節雄螺子１１ａの調節の為の回転は、該調整軸１５の回転とはならないように、遊嵌部材２７の部分で、調節雄螺子１１ａと調整軸１５の間の回転の連鎖を遮断しているのである。そして、該調節雄螺子１１ａが遊嵌部材２７を押して、該遊嵌部材２７の調整軸１５が、連結金具３０を介して肥料側繰出駆動軸３Ａまたは播種繰出駆動軸３Ｂに伝達されて、該摺動ロール１が固定ロール２に対して位置を変更すべく摺動することとなる。
【００４２】
該肥料側繰出駆動軸３Ａの為の調節雄螺子１１ａと、播種繰出駆動軸３Ｂの為の調節雄螺子１１ａの間の位置に、繰出量調節目盛板２５が固定されている。該繰出量調節目盛板２５と調量操作ハンドル１１の位置により、繰出量の目安とすることができる。
【００４３】
また、調整軸１５と繰出駆動軸３との連結部である連結金具３０は、両方の軸の軸心が必ずしも一致するとは限らないので、少々のズレがあっても、該繰出駆動軸３と調整軸１５とを連結することができるように、該繰出駆動軸３の側の長孔３０ａと、調整軸１５の側の丸孔３０ｂにピンを挿入して、連結すべく構成している。
これにより、該調整軸１５と繰出駆動軸３の間の軸心のズレを、長孔３０ａと丸孔３０ｂと係止ピンの間で吸収することができるのである。
【００４４】
また、調量操作ハンドル１１と調節雌螺子２４の間には、付勢バネ２８が介装されている。該付勢バネ２８により、調量操作ハンドル１１を支持フレーム２２に対して外側に付勢して、該調節雌螺子２４と調節雄螺子１１ａとの間で振動により自由に回転して、該繰出駆動軸３が移動することを阻止しているのである。
【００４５】
本発明は、繰出凹部ａを外周に形成した繰出ロールＡを回転させることにより、上方のホッパー１３・１４から前記繰出凹部ａに落入し貯留される粒状物ｍの一定量を繰出すロール式繰出装置において、該繰出ロールＡを、前記繰出凹部ａを設けた摺動ロール１と、該繰出凹部ａに側方から嵌入する嵌入突起ｂを構成した固定ロール２とにより構成し、該摺動ロール１を固定ロール２に対して摺動させることにより、前記嵌入突起ｂが繰出凹部ａに嵌入する位置により、前記粒状物ｍの量を調節すべく構成し、該摺動ロール１を駆動する繰出駆動軸３を設け、該繰出駆動軸３を左右へ摺動可能とし、該繰出駆動軸３の左右への摺動により、該摺動ロール１が固定ロール２に対して相対位置を変更して、ロール式繰出装置の繰出量を調整するように構成している。
【００４６】
このように構成したことにより、該繰出ロールＡの繰出駆動軸３を左右に摺動することにより、該摺動ロール１を同時に摺動して、ロール式繰出装置の調量機構を構成したので、別に調量機構の為の軸を配置する必要がなくなり、該繰出駆動軸３を兼用して簡潔な構成とすることが出来たものである。
【００４７】
また、前記繰出駆動軸３に対して摺動ロール１を、係合固定状態と摺動可能状態とに切換可能に構成し、該摺動ロール１を繰出駆動軸３に対して、摺動させることにより、ロール式繰出装置ユニットＵを、該繰出駆動軸３に対して移動可能とし、圃場に対する施肥播種位置を変更可能としている。
【００４８】
このように構成したことにより、該繰出駆動軸３を摺動させることで、該繰出ロールＡの摺動ロール１を摺動して、ロール式繰出装置の調量機構を構成することが出来るとともに、該繰出駆動軸３に対して、該固定ロール２の位置を移動固定可能とする機構を設けたので、ロール式繰出装置ユニットＵの間の条間を調節する為に、ユニットの左右移動も可能となったのである。
【００４９】
また、前記繰出駆動軸３に対する摺動ロール１の固定を、該摺動ロール１の一端に構成した締付雄ネジ８と締付雌ナット９により構成したものである。
【００５０】
このように構成したことにより、該繰出駆動軸３とロール式繰出装置ユニットＵの固定と移動可能とを切換える構成を、該締付雄ネジ８と締付雌ナット９により、該繰出駆動軸３の上に構成することで、簡潔な構成で、ロール式繰出装置ユニットＵの移動可能構成とすることが出来たのである。
【００５１】
また、前記ロール式繰出装置ユニットＵの複数を、ユニット取付杆１２に一定間隔を開けて取付け、圃場に対して複数条の施肥播種を行う多条式のロール式繰出装置を構成するとともに、該複数のロール式繰出装置ユニットＵの、各繰出駆動軸３を、一体化した１本の軸として構成し、該１本の繰出駆動軸３の端部に設けた、繰出量調節機構Ｂにより、複数のロール式繰出装置ユニットＵの繰出量を同時に調節可能としたものである。
【００５２】
このように構成したことにより、多条式のロール式繰出装置とした場合において、各条ごとのユニットの繰出駆動軸３を連結した１本の軸として、該１本の軸を左右に摺動可能な構成とすることにより、多条式のユニットに全ての繰出量の調整を可能とすることが出来るので、各条ごとの調量機構を構成して、調量の為の軸を連結する必要がなくなったのである。
【００５３】
また、前記繰出量調節機構Ｂの支持フレーム２２を、前記ユニット取付杆１２に固定するとともに、該繰出量調節機構Ｂにおいて、前記繰出駆動軸３の延長上に構成した調量操作ハンドル１１を回動操作することにより、該固定ロール２に対して、繰出駆動軸３と摺動ロール１の位置を摺動調整して、繰出量を調整するものである。
【００５４】
このように構成したことにより、多条式のロール式繰出装置において、全てのユニットを貫通した１本の繰出駆動軸３の端部に繰出量調節機構Ｂを設け、該繰出量調節機構Ｂを構成する調量操作ハンドル１１を回動操作するだけで、全てのユニットの摺動ロール１を、正確に同じ調整量で移動させることが可能となったのである。
【００５５】
また、前記繰出駆動軸３と、繰出量調節機構Ｂの調整軸１５との間は、連結金具３０により連結して、該連結金具３０の部分により、繰出駆動軸３と繰出量調節機構Ｂとを脱着可能としたものである。
【００５６】
このように構成したことにより、  多条式のロール式繰出装置において、１本の長い軸に構成した繰出駆動軸３と、該繰出量調節機構Ｂの調整軸１５は、脱着が可能であるので、トラクタ等の側に設けたユニット取付杆１２に取付ける場合に、簡単に脱着することが可能となったのである。
【符号の説明】
【００５７】
Ａ  繰出ロール
Ｂ  繰出量調節機構
Ｕ  ロール式繰出装置ユニット
ｍ  粒状物
ａ  繰出凹部
ｂ  嵌入突起
１  摺動ロール
１ｄ  軸受面
１１  調量操作ハンドル
２  固定ロール
２ｂ  駆動ギア
２ｄ  軸受筒部
３  繰出駆動軸
３Ａ  肥料側繰出駆動軸
３Ｂ  播種繰出駆動軸
５  種子繰出装置
６  軸受け体
６ａ  内周軸受面
７  肥料繰出装置
８  締付雄ネジ
９  締付雌ナット
１０  メインフレーム
１１  調量操作ハンドル
１１ａ  調節雄螺子
１２  ユニット取付杆
１３  種子ホッパー
１４  肥料ホッパー
１５  調整軸
１６  繰出駆動モータ
１７  作業機取付ヒッチ
１８  作業機上下調整ハンドル
１９  施肥ロールケース
２０  播種ロールケース
２１  ワンタッチ係止具
２２  繰出量調節機構Ｂの支持フレーム
２３  繰出量調節機構Ｂのユニット取付杆への固定部
２４  調節雌螺子
２５  繰出量調節目盛板
２６  目皿接当ブラシ
３０  連結金具
３１  鎮圧ローラ
３２  覆土ディスク
３３  作溝ディスク
３４  防水カバー
３５  平行リンク
３６  係止部材
３７  スクレーパ
【図１】
0006476433.tif 000002
【図２】
0006476433.tif 000003
【図３】
0006476433.tif 000004
【図４】
0006476433.tif 000005
【図５】
0006476433.tif 000006
【図６】
0006476433.tif 000007
【図７】
0006476433.tif 000008
【図８】
0006476433.tif 000009
【図９】
0006476433.tif 000010
【図１０】
0006476433.tif 000011
【図１１】
0006476433.tif 000012
【図１２】
0006476433.tif 000013
【図１３】
0006476433.tif 000014
【図１４】
0006476433.tif 000015
【図１５】
0006476433.tif 000016
【図１６】
0006476433.tif 000017
【図１７】
0006476433.tif 000018
【図１８】
0006476433.tif 000019
【図１９】
0006476433.tif 000020
【図２０】
0006476433.tif 000021